(57)【要約】  【課題】  本発明は、釣餌に関するものであり、生きた耳イカに似た動きをする疑似餌を開発することを課題とする。  【解決手段】  釣餌１は、擬態部２と集魚剤タンク３によって構成されており、イカの形態をしている。頭部５の袋状部８の中には集魚剤タンク３が挿入されている。集魚剤タンク３の中には、イカ墨が収容されている。釣り竿を煽ると、集魚剤タンク３の口部１１から集魚剤たるイカ墨が噴射される。この様子は、あたかもイカが何かに脅えて逃げる時の動きの様であり、魚は本能的に近づき、釣餌１に噛みつく、そして釣り針２５に掛かり、釣り人につり上げられる。【選択図】  図１
2007006727.tif 000002
【特許請求の範囲】
【請求項１】
餌に似せた形態を有する擬態部と、集魚剤タンクを備え、集魚剤タンクが擬態部に取り付けられていることを特徴とする釣餌。
【請求項２】
集魚剤タンクは一部に開口を有し、擬態部は弾性を有する袋状部を備え、集魚剤タンクは開口が袋状部の開口側となる様な位置関係で擬態部の袋状部に挿入されていることを特徴とする請求項１に記載の釣餌。
【請求項３】
擬態部は、動物を模した形状をしており、集魚剤タンクには前記動物の体液が配合されていることを特徴とする請求項１又は２に記載の釣餌。
【請求項４】
擬態部は、頭足類を模した形状をしており、集魚剤タンクにはイカ墨が配合されていることを特徴とする請求項１乃至３のいずれかに記載の釣餌。
【発明の詳細な説明】
【技術分野】
【０００１】
本発明は、釣餌に関するものである。
【背景技術】
【０００２】
自然に親しむことができる健康的なレクレーションの一つとして、魚釣りが盛んである。魚釣りに使用する釣餌は、勿論、対象となる魚種によって異なるが、同一の対象魚であっても地方によって独特の釣餌が使用される場合がある。
例えば、船釣りで鯛を釣る際の餌として耳イカが使用される地方がある。鯛釣りに際しては耳イカを生きたままの状態で針に掛ける。そして釣り人は、たなに釣餌を下ろし、船上で釣り竿を煽る。その結果、海中で耳イカが上下に動く。そして耳イカはこの時に墨を吐くと言われている。
鯛は耳イカが墨を吐く様子を見て興味をそそられ、耳イカを食餌するとされている。
【発明の開示】
【発明が解決しようとする課題】
【０００３】
耳イカを餌とした釣りは、良くつれるが、餌の確保が困難である。即ち耳イカを生きた状態で捕獲し、さらに釣りを行うまで元気に生かしておかなければならない。
また耳イカは、捕獲の際や、針に付ける際に墨を吐いてしまうことが多く、海中に下ろした時には既に墨を持たない場合も多い。
そこで本発明は、従来技術の上記した問題点に注目し、生き餌に似た動きをする疑似餌を開発することを課題とするものである。
【課題を解決するための手段】
【０００４】
上記した課題を解決するための請求項１に記載の発明は、餌に似せた形態を有する擬態部と、集魚剤タンクを備え、集魚剤タンクが擬態部に取り付けられていることを特徴とする釣餌である。
【０００５】
本発明の釣餌では、集魚剤タンクが擬態部に取り付けられているから、餌を上下に煽った時に集魚剤タンクから集魚剤が洩れる。魚はこれを見て興味を示して近寄り、釣餌又は釣餌近傍の針に掛かる。
【０００６】
請求項２に記載の発明は、集魚剤タンクは一部に開口を有し、擬態部は弾性を有する袋状部を備え、集魚剤タンクは開口が袋状部の開口側となる様な位置関係で擬態部の袋状部に挿入されていることを特徴とする請求項１に記載の釣餌である。
【０００７】
本発明では、擬態部は弾性を有する袋状部を備え、集魚剤タンクは袋状部に挿入されている。そのため集魚剤タンクは、擬態部の弾性によって保持され、脱落しない。また集魚剤タンクの着脱も容易である。
【０００８】
請求項３に記載の発明は、擬態部は、動物を模した形状をしており、集魚剤タンクには前記動物の体液が配合されていることを特徴とする請求項１又は２に記載の釣餌である。
【０００９】
本発明では、擬態部は動物を模した形状をしており、集魚剤タンクには前記動物の体液が配合されている。そのため本発明の釣餌を煽ると、動物の体液が吐出される。この様子は、あたかも傷ついた動物が悶えているか、あるいはイカや蛸等の頭足類が逃げようとして慌てている状態であり、魚は本能的に噛みつこうとする。そのため本発明の釣餌を使用すると良く釣れる。
【００１０】
請求項４に記載の発明は、擬態部は、頭足類を模した形状をしており、集魚剤タンクにはイカ墨が配合されていることを特徴とする請求項１乃至３のいずれかに記載の釣餌である。
【００１１】
本発明の釣餌では、擬態部がイカや蛸等の頭足類を模した形状をしており、集魚剤タンクにはイカ墨が配合されている。即ち本発明の釣餌は、前記した耳イカを利用した釣餌と同様の動きをするものであり、上下に煽られることによって墨を吐く。そのため本発明の釣餌を使用すると良く釣れる。
【発明の効果】
【００１２】
本発明の釣餌は、あたかも生き餌の様な動作をするものであり、魚が良く釣れる効果がある。
【発明を実施するための最良の形態】
【００１３】
以下さらに本発明の実施形態について説明する。
図１は、本発明の実施形態の釣餌の正面図である。図２は、図１の釣餌の断面図である。図３は、図１の釣餌に内蔵される集魚剤タンクの一部断面正面図である。
【００１４】
本実施形態の釣餌１は、擬態部２と集魚剤タンク３によって構成されている。
擬態部２は、軟質のビニールやウレタン、シリコン樹脂等の樹脂やゴム等で作られたものであり、イカの形態をしている。即ち先端が丸い円筒形の頭部５と、複数の紐状の足部６を備えている。擬態部２は、弾性を有し、足部６や頭部５は伸び縮みする。
【００１５】
頭部５の中は図２の様に空洞であり、袋状部８を構成している。即ち頭部５は、薄い皮状であり、足部６は、頭部５の開口端部側に多数の切り込みを設けて形成されたものである。
前記した様に頭部５は袋状であり、足部６の付け根部分は開口している。
【００１６】
また頭部５の袋状部８の中には集魚剤タンク３が挿入されている。集魚剤タンク３は、ビニール等の樹脂で成形されたものであり、本体部１０と口部１１を備えている。本体部１０は直径６ｍｍ〜１２ｍｍ程度であって長さが１０ｍｍ〜４０ｍｍ程度の円筒形である。口部１１は、本体部１０の一端にあり、本体部よりも口径が小さい。集魚剤タンク３は、口部１１のみが開口し、他の部位は閉塞している。
口部１１にはネジ１２が設けられており、栓１３が取り付けられる。
【００１７】
集魚剤タンク３は、前記した様に頭部５の袋状部８に挿入されている。袋状部８は弾性を有するので、集魚剤タンク３は袋状部８の弾性力によって締めつけられ、容易に脱落しない。但し手指によって摘むことによって集魚剤タンク３を袋状部８から抜き出すことができる。
【００１８】
また図２の様に、集魚剤タンク３の取り付け姿勢は、集魚剤タンクの開口（口部１１）が袋状部８の開口側となる様な位置関係であり、集魚剤タンク３の口部１１は、その先端が袋状部８から僅かに露出している。
集魚剤タンク３の中には、イカ墨が収容されている。イカ墨は、生きたイカから取り出したものであり、必要に応じて防腐剤が配合されている。またオキアミの粉砕物やサナギ粉等の他の集魚剤を配合してもよい。また公知の人工的な集魚剤を配合してもよい。
集魚剤タンク３の口部１１には栓１３が取り付けられており、釣餌１を海中に下ろす際に栓１３を外す。
【００１９】
次に本実施形態の釣餌１の使用方法について説明する。
図４は、本発明の実施形態の釣餌の使用方法を示す説明図であり、（ａ）は釣餌を釣り下ろした状態を示し、（ｂ）は、釣り竿を煽った状態を示す。
本実施形態の釣餌１は、釣り針２５に掛けて使用される。また釣り針２５の上には錘２６を取り付ける。
そして釣餌を海中に投入すると、図４（ａ）の様に、釣餌１及び釣り針２５が下にあり、その上に錘２６がある様な姿勢で落ちつく。
この状態の時に釣り竿２３を煽ると、錘２６の落下速度の方が釣餌１よりも早いため、図５（ｂ）の様に錘２６が下、釣餌１が上の状態となり、この時に集魚剤タンク３の口部１１から集魚剤たるイカ墨が噴射される。
この様子は、あたかもイカが何かに脅えて逃げる時の動きの様であり、魚は本能的に近づき、釣餌１に噛みつく、そして釣り針２５に掛かり、釣り人につり上げられる。
【００２０】
長時間に渡って使用する等によって、集魚剤タンク３のイカ墨が無くなった場合は、集魚剤タンク３を取り替える。即ちイカ墨を収容した集魚剤タンク３を予め多数用意しておき、使用済みの集魚剤タンク３を袋状部８から抜き出して新たな集魚剤タンク３を挿し入れる。
【００２１】
上記した実施形態では、集魚剤タンク３にイカ墨を入れたが、他の集魚剤を入れておいてもよい。集魚剤は、イカ墨の様な着色されたものであることが望ましい。
【００２２】
以上説明した実施形態では、集魚剤タンク３は、全体が樹脂で作られたものであるが、図５に示す集魚剤タンク２０の様に内部に錘２１を内蔵するものであっても良い。即ち図５は、集魚剤タンクの変形例を示す正面図である。
【００２３】
また先に示した実施形態では、擬態部２は、円筒形の頭部５に紐状の足部６を設けたものであるが、より耳イカに似せた形状とする為に、図５に示す様に耳部２７を設けてもよい。即ち図６は、本発明の他の実施形態の釣餌の正面図である。
図６に示す釣餌３０では、頭部３１の一端（足部３２に対して反対側）に二個の耳部２７が設けられている。他の構成は、先の実施形態と同一であり、頭部３１は袋状であり、その内部に集魚剤タンク３が内蔵されている。
【００２４】
また先の実施形態は、いずれもイカに似せた形状をしているが、蛸等の他の頭足類に似せた形状であってもよい。さらに図７に示すような蟹や海老の様な甲殻類に似せた形状のものや、図８に示すようなごかい類に似せた形状のもの、或いは魚や貝やウニ、クラゲに似せた形状のものであってもよい。
即ち図７、図８、図９は、本発明の他の実施形態の釣餌の正面図である。
【００２５】
図７に示す釣餌４０は擬態部４１が蟹の形状をしており、その内部は袋状となっている。そして当該袋状部に集魚剤タンク３が取り付けられている。集魚剤タンク３には、蟹のエキスや、すり身、殻等の蟹の体液を含むものを配合しておくことが望ましい。
【００２６】
図８に示す釣餌５０は擬態部５１がごかいの形状をしており、その内部が袋状となっている。そして当該袋状部に集魚剤タンク３が取り付けられている。集魚剤タンク３には、ごかいの体液を含むものを配合しておくことが望ましい。
【００２７】
図９に示す釣餌６０は擬態部６１が魚の形状をしており、集魚剤タンク３には、魚の体液を含むものが配合されている。
【００２８】
先に示した実施形態では、釣餌１等に釣り針を刺して魚を釣る方策を例示したが、予め擬態部２等と釣り針を一体化しておいてもよい。さらに擬態部２等と釣り針とを離した位置に置き、釣り針で魚の体を引っかける方策にも本発明を活用することができる。
また集魚剤タンクを有することに加えて、擬態部２等に集魚剤を練り込んでもよい。
【図面の簡単な説明】
【００２９】
【図１】本発明の実施形態の釣餌の正面図である。
【図２】図１の釣餌の断面図である。
【図３】図１の釣餌に内蔵される集魚剤タンクの一部断面正面図である。
【図４】本発明の実施形態の釣餌の使用方法を示す説明図であり、（ａ）は釣餌を釣り下ろした状態を示し、（ｂ）は、釣り竿を煽った状態を示す。
【図５】集魚剤タンクの変形例を示す一部断面正面図である。
【図６】本発明の他の実施形態の釣餌の正面図である。
【図７】本発明のさらに他の実施形態の釣餌の正面図である。
【図８】本発明のさらに他の実施形態の釣餌の正面図である。
【図９】本発明のさらに他の実施形態の釣餌の正面図である。
【符号の説明】
【００３０】
１  釣餌
２  擬態部
３  集魚剤タンク
５  頭部
６  足部
８  袋状部
１１  口部
２１  錘
２５  釣り針
２６  錘
３０  釣餌
３１  頭部
３２  足部
４０  釣餌
４１  擬態部
５０  釣餌
５１  擬態部
６０  釣餌
６１  擬態部
【図１】
2007006727.tif 000003
【図２】
2007006727.tif 000004
【図３】
2007006727.tif 000005
【図４】
2007006727.tif 000006
【図５】
2007006727.tif 000007
【図６】
2007006727.tif 000008
【図７】
2007006727.tif 000009
【図８】
2007006727.tif 000010
【図９】
2007006727.tif 000011